(57)【要約】      （修正有）【課題】玉網に係り、柄の十分な強度を確保し乍ら軽量で使い易く、また、柄の内部に水が溜まってしまうことのない玉網を提供する。【解決手段】柄に網部が取り付いた玉網に於て、前記柄を、合成樹脂発泡体で形成された内側部と、該内側部よりも硬い合成樹脂材で形成され、該内側部の外周を覆う外側部とで構成したことを特徴とする。そして、玉網に於て、前記外側部の内部に中空部が形成され、前記内側部は該中空部内に発泡合成樹脂を充填して形成されていることを特徴とする。【選択図】図２
2009232698.tif 000002
【特許請求の範囲】
【請求項１】
柄に網部が取り付いた玉網に於て、
前記柄を、合成樹脂発泡体で形成された内側部と、該内側部よりも硬い合成樹脂材で形成され、該内側部の外周を覆う外側部とで構成したことを特徴とする玉網。
【請求項２】
前記外側部の内部に中空部が形成され、前記内側部は、該中空部内に発泡合成樹脂を充填して形成されていることを特徴とする請求項１に記載の玉網。
【請求項３】
前記中空部は、柄の長手方向に延びて形成されていることを特徴とする請求項２に記載の玉網。
【請求項４】
前記中空部は、外部に連通していることを特徴とする請求項２または請求項３に記載の玉網。
【請求項５】
前記外側部は、前記内側部の外形形状に沿って該内側部を覆っていることを特徴とする請求項１に記載の玉網。
【請求項６】
前記内側部は、気孔率が高く比重の小さな中心側の合成樹脂発泡体と、気孔率が低く比重の大きな外側の合成樹脂発泡体とで形成されていることを特徴とする請求項１または請求項５に記載の玉網。
【発明の詳細な説明】
【技術分野】
【０００１】
本発明は魚釣りに用いる玉網に係り、詳しくは柄に改良を加えた玉網に関する。
【背景技術】
【０００２】
従来、魚釣りに使用される玉網は、網枠（枠体）に袋状の網を装着した網部が、柄に直接または網枠の支持部（連結部）を介して着脱自在に連結されている。
【０００３】
そして、釣人は釣りの最中に柄を腰ベルト等に差し込んで保持し、使用時は柄を握って玉網を腰ベルト等から引き抜き、釣れた魚に差し出して掬うか、釣糸で吊り下げた魚をキャッチしていた。
【０００４】
ところで、玉網は網部が比較的軽いため、柄が重く感じられる。従って、柄を軽量化して持ち重り感のない良好なバランスのものが好まれ、例えば特許文献１には柄を中空に形成した玉網が開示されている。
【０００５】
前記玉網は、柄の長手方向に沿って前後に分割した一対の半割れ体を接合固定して中空な柄を構成したもので、半割れ体は射出成形されたプラスチック成形品で形成されている。
【特許文献１】特開平８−１８２４４９号公報
【発明の開示】
【発明が解決しようとする課題】
【０００６】
しかし乍ら、斯様にプラスチック成形品で柄を中空に形成すると強度が不足し、小さな亀裂が生じてしまうと内部に水が浸入し、また、半割れ体を最中合わせに接合して中空状に形成しているため、接合部分からも内部に水が浸入してしまう虞があった。
【０００７】
そして、斯様に水が浸入してしまうと、柄の内部に水が溜まって異音が発生してしまう欠点があった。
【０００８】
本発明は斯かる実情に鑑み案出されたもので、柄の十分な強度を確保し乍ら軽量で使い易く、また、柄の内部に水が溜まってしまうことのない玉網を提供することを目的とする。
【課題を解決するための手段】
【０００９】
斯かる目的を達成するため、請求項１に係る発明は、柄に網部が取り付いた玉網に於て、前記柄を、合成樹脂発泡体で形成された内側部と、該内側部よりも硬い合成樹脂材で形成され、該内側部の外周を覆う外側部とで構成したことを特徴とする。
【００１０】
また、請求項２に係る発明は、請求項１に記載の玉網に於て、前記外側部の内部に中空部が形成され、前記内側部は該中空部内に発泡合成樹脂を充填して形成されていることを特徴とし、請求項３に係る発明は、請求項２に記載の玉網に於て、前記中空部は柄の長手方向に延びて形成されていることを特徴とする。
【００１１】
そして、請求項４に係る発明は、請求項２または請求項３に記載の玉網に於て、前記中空部は外部に連通していることを特徴とし、請求項５に係る発明は、請求項１に記載の玉網に於て、前記外側部は、前記内側部の外形形状に沿って該内側部を覆っていることを特徴とする。
【００１２】
更に請求項６に係る発明は、請求項１または請求項５に記載の玉網に於て、前記内側部は、気孔率が高く比重の小さな中心側の合成樹脂発泡体と、気孔率が低く比重の大きな外側の合成樹脂発泡体とで形成されていることを特徴とする。
【発明の効果】
【００１３】
各請求項に係る発明によれば、柄が十分な強度を有し乍ら軽く使い易く、また、柄の内部に水が入ることが防止されるため、柄の内部に水が溜まって異音が発生することもなく、良好な魚釣りが可能となる。
【００１４】
そして、請求項３に係る発明によれば、中空部を柄の長手方向に形成して該中空部内に比重の小さな内側部を柄の長手方向に亘って設けたため、柄に部分的な重量の偏りがなく操作がし易い利点を有する。
【００１５】
また、請求項４に係る発明によれば、中空部が外部に連通しているため、該中空部内に比重の小さな内側部を外側部との間に隙間なく形成することができる。
【００１６】
更に、請求項６に係る発明によれば、内側部を気孔率が高く比重の小さな中心側の合成樹脂発泡体と、気孔率が低く比重の大きな外側の合成樹脂発泡体とで形成したので、柄に占めるこれらの割合を変えることで柄の重量調整が可能となる。
【発明を実施するための最良の形態】
【００１７】
以下、本発明の実施形態を図面に基づいて詳細に説明する。
【００１８】
図１乃至図３は請求項１乃至請求項４に係る玉網の一実施形態を示し、図１に於て、１は柄３と、網枠５に網７が取り付いた網部９が網枠５の支持部１１を介して連結された玉網で、網７は合成樹脂繊維を編んで、或いはゴム，合成樹脂等を網状に一体形成して袋状に形成されており、リング状に形成した前記網枠５にその開口部１３が開いた状態で支持されて取り付けられている。
【００１９】
前記支持部１１は、合成樹脂を材料として平面視略Ｙ字状に形成され、網枠５に沿って左右に延設されたアーム部１１ａ，１１ｂに網枠５の図示しない左右の各端部が挿着されている。そして、図２に示すように支持部１１は、その後端側に設けた係合突起１５を後述するカップ状の栓１７内に差し込んで、止め具（止めネジ）１９で柄３に着脱自在に取り付けられている。
【００２０】
図２に示すように柄３は、ＡＢＳ，ナイロン等の合成樹脂からなる外側部２１と、該外側部２１内部の中空部２３にポリウレタン等の発泡合成樹脂を注入，充填して形成された比重の小さな内側部２５とで構成されており、該内側部２５の外周が該内側部２５よりも硬く衝撃に強い外側部２１で覆われている。
【００２１】
尚、中空部２３の発泡合成樹脂の注入，充填は、後述するように中空部２３に発泡合成樹脂の材料を注入して中空部２３で発泡して充填される。
【００２２】
前記外側部２１は、前記支持部１１が取り付く前側が該支持部１１から外方へ突出した断面楕円形状に形成され、後端側は上方へ膨出した後、下方に向けて緩やかに湾曲した先細り状に形成されている。そして、その内部に、外側部２１の前側からその長手方向に略同じ幅で延びる前記中空部２３が形成されて、該中空部２３内に合成樹脂発泡体からなる前記内側部２５が設けられている。
【００２３】
そして、前記中空部２３は、柄３の後部側に設けたロープ挿通用の貫通孔２７に、中空部２３より幅の細い通気口２９で繋がって外部に連通し、また、柄３の前方側の中空部２３の前端側にカップ状の栓１７が嵌合されており、該栓１７の中央には前記中空部２３に通じる孔３１が設けられている。そして、既述したように該栓１７内に係合突起１５が差し込まれて、支持部１１が止め具１９で柄３に着脱自在に固定されている。
【００２４】
次に、前記柄３の製造方法を説明すると、先ず、前記形状からなる外側部２１をＡＢＳ，ナイロン等の合成樹脂を用いて金型成形する。
【００２５】
そして、図３に示すように前記栓１７を外側部２１の前方側の中空部２３の前端側に嵌合した後、栓１７の孔３１から発泡合成樹脂の材料のポリウレタン等の溶湯Ｐを中空部２３内に注入し、中空部２３内にて発泡させて中空部２３内に発泡合成樹脂を充填し、これを硬化させることで外側部２１に覆われた前記内側部２５が形成され、このとき、前記貫通孔２７と通気口２９が、中空部２３内の空気Ｗの排気口として機能する。
【００２６】
このように本実施形態に係る玉網１は、柄３を合成樹脂発泡体からなる比重の小さな内側部２５と、該内側部２５の外周を覆って該内側部２５よりも硬く衝撃に強い外側部２１とで構成したため、柄３の十分な強度を確保することができると共に、外側部２１に設けた中空部２３内に発泡合成樹脂の材料のポリウレタン等の溶湯Ｐを注入し、中空部２３内にて発泡させて、中空部２３内に発泡合成樹脂を充填して比重の小さな前記内側部２５を柄３の内部に設けたため、柄をＡＢＳ等の合成樹脂で中実に形成した従来例に比し柄３が軽くなる。
【００２７】
而も、斯様に外側部２１の内部に設けた中空部２３を発泡した発泡合成樹脂で埋めるため、柄３の内部に水が入ることが防止されると共に、前記貫通孔２７や孔３１から水が入っても、水が内部に侵入することなくこれらの孔２７，３１から直ちに排水されることとなる。
【００２８】
従って、本実施形態によれば、柄３が十分な強度を有し乍ら軽く使い易く、また、柄３の内部に水が入ることが防止されるため、柄３の内部に水が溜まって異音が発生することもなく、良好な魚釣りが可能となる。
【００２９】
また、本実施形態は、栓１７の孔３１から発泡合成樹脂の材料のポリウレタン等の溶湯Ｐを中空部２３内に注入する際に、通気口２９を介して前記貫通孔２７を排気口として機能させたため、柄３に別途排気口を設ける必要がなく見栄えが良好であるし、中空部２３が外部に連通しているため、該中空部２３内に内側部２５を外側部２１との間に隙間なく形成することができる。
【００３０】
更に、本実施形態は、中空部２３を柄３の長手方向に形成して該中空部２３内に比重の小さな内側部２５を柄３の長手方向に亘って設けたため、柄３に部分的な重量の偏りがなく操作がし易い利点を有する。
【００３１】
図４乃至図６は請求項１及び請求項５の一実施形態に係る玉網に使用する柄を示し、図中、３３は前記内側部２５と同様、ポリウレタン等の発泡合成樹脂で形成した内側部、３５は前記外側部２１と同様、ＡＢＳ，ナイロン等の合成樹脂で形成した外側部で、本実施形態は、図５の如く先ず、柄３７の芯材となる内側部３３を金型成形した後、図６の如く金型３９，４１，４３を用いて内側部３３の外形形状に沿って表面層たる外側部３５を略同じ肉厚で金型成形したものである。尚、前記実施形態と同一のものには、同一符号を以って表示する。
【００３２】
図４及び図５に示すように内側部３３の前端側には、前記栓１７が嵌合する凹部４５と、止め具１９の図示しないボルト孔が形成され、後部側にはロープ挿通用の貫通孔２７が形成されている。そして、内側部３３は支持部１１が取り付く前側が該支持部１１から外方へ突出した断面楕円形状に形成され、後端側は上方へ膨出した後、下方に向けて緩やかに湾曲した先細り状に予め金型成形されている。
【００３３】
そして、既述したように、図６に示す複数の金型３９，４１，４３を用いて、内側部３３の外形形状に沿って外側部３５が略同じ肉厚で金型成形されている。
【００３４】
尚、外側部３５を金型成形するに当たり、前記栓１７を内側部３３の前端側の凹部４５に嵌合させておく。また、外側部３５は金型成形の他に、ＡＢＳやナイロン等の合成樹脂を内側部３３の外周に塗布して形成してもよい。
【００３５】
このように本実施形態も、柄３７を合成樹脂発泡体からなる比重の小さな内側部３３と、該内側部３３の外周を略同じ肉厚で覆って該内側部３３よりも硬く衝撃に強い外側部３５とで構成したため、柄３７の十分な強度を確保することができると共に、柄をＡＢＳ等の合成樹脂で中実に形成した従来例に比し柄３７が軽くなる。
【００３６】
而も、斯様に外側部３５の内部に内側部３３を設けたため、柄３７の内部に水が入ることがない。
【００３７】
従って、本実施形態によっても、柄３７が十分な強度を有し乍ら軽く使い易く、また、柄３７の内部に水が入ることがないため、柄３７の内部に水が溜まって異音が発生することもなく、良好な魚釣りが可能となる。
【００３８】
図７は請求項１，請求項５及び請求項６の一実施形態に係る玉網に使用する柄を示し、本実施形態は、前記内側部３３に代え、内側部４７を更に気孔率が高く比重の小さな中心側の合成樹脂発泡体４７ａと、気孔率が低く比重の大きな外側の合成樹脂発泡体４７ｂとで形成したもので、中心側の合成樹脂発泡体４７ａは、内側部４７の前側からその長手方向に略同じ幅で延設されている。尚、外側の合成樹脂発泡体４７ｂは外側部３５よりも比重が小さい。そして、内側部４７は、中心側の合成樹脂発泡体４７ａ，合成樹脂発泡体４７ｂの順で金型内で二重成形して形成されている。
【００３９】
そして、内側部４７は前記内側部３３と同一の外形形状からなり、その外形形状に沿って外側部３５が略同じ肉厚で金型成形されて柄４９が形成されている。尚、その他の構成は図４の実施形態と同様であるので、同一のものには同一符号を付してそれらの説明は省略する。
【００４０】
このように本実施形態も、柄４９を合成樹脂発泡体からなる比重の小さな内側部４７と、該内側部４７の外周を略同じ肉厚で覆って該内側部４７よりも硬く衝撃に強い外側部３５とで構成したため、柄４９の十分な強度を確保することができると共に、柄をＡＢＳ等の合成樹脂で中実に形成した従来例に比し柄４９が軽くなる。
【００４１】
また、斯様に外側部３５の内部に内側部４７を設けたため、柄４９の内部に水が入ることがない。
【００４２】
更に、本実施形態は、内側部４７を気孔率が高く比重の小さな中心側の合成樹脂発泡体４７ａと、気孔率が低く比重の大きな外側の合成樹脂発泡体４７ｂとで形成したので、柄４９に占めるこれらの割合を変えることで柄４９の重量調整が可能となるし、中心側の合成樹脂発泡体４７ａを内側部４７の前側からその長手方向に略同じ幅で延設したため、柄４９に部分的な重量の偏りがなく操作がし易い利点を有する。
【図面の簡単な説明】
【００４３】
【図１】請求項１乃至請求項４の一実施形態に係る玉網の全体斜視図である。
【図２】柄の断面図である。
【図３】柄の製造方法の説明図である。
【図４】請求項１及び請求項５の一実施形態に係る玉網に使用する柄の断面図である。
【図５】柄の内側部の断面図である。
【図６】柄の製造方法の説明図である。
【図７】請求項１，請求項５及び請求項６の一実施形態に係る玉網に使用する柄の断面図である。
【符号の説明】
【００４４】
１  玉網
３，３７，４９  柄
５  網枠
７  網
９  網部
１１  支持部
１３  開口部
１７  栓
１９  止め具
２１，３５  外側部
２３  中空部
２５，３３，４７  内側部
２７  貫通孔
２９  通気口
３１  孔
３９，４１，４３  金型
４５  凹部
４７ａ  中心側の合成樹脂発泡体
４７ｂ  外側の合成樹脂発泡体
【図１】
2009232698.tif 000003
【図２】
2009232698.tif 000004
【図３】
2009232698.tif 000005
【図４】
2009232698.tif 000006
【図５】
2009232698.tif 000007
【図６】
2009232698.tif 000008
【図７】
2009232698.tif 000009